(57)【要約】【課題】塞ぎ部材を開閉可能に支持するヒンジに起因する医療用機器の見栄えの悪化を生じにくくする。【解決手段】蓋部材２９の外周縁２９１よりも内側に、ヒンジ３２の第１金属板３２Ｂが配置されており、且つ、外周縁２９１よりも内側にて、第１金属板３２Ｂが箱状部材４０に対して固定されている。これにより、ヒンジ３２が、蓋部材２９と箱状部材４０の上板４３とを跨がないようになり、見栄えの悪化が抑制される。蓋部材２９と上板４３とを跨ぐようにヒンジ３２が設けられる場合、ヒンジ３２の回転軸の部分が、蓋部材２９と上板４３との間に形成される間隙の部分に配置されることが多くなる。ところで、この場合、この間隙が拡がり、間隙の拡大に伴い、見栄えの悪化が生じうる。【選択図】図１０
2014221173.tif 000002
【特許請求の範囲】
【請求項１】
拡がりを有して形成された開口を備え、当該開口が拡がる方向と直交する方向に深さを有して形成され、部材が収容される収容室と、
前記収容室の前記開口を塞ぐとともに、当該収容室側に面する内側面を有した塞ぎ部材と、
前記収容室内に固定される第１の固定片と、前記塞ぎ部材の前記内側面に固定される第２の固定片と、当該第１の固定片と当該第２の固定片とを接続する軸と、を備え、当該塞ぎ部材の開閉を可能にするヒンジと、
を備え、
前記収容室の深さ方向に向けて前記塞ぎ部材および前記ヒンジを投影した場合に、当該塞ぎ部材の外周縁よりも内側に、当該ヒンジの前記第１の固定片が位置するように構成された医療用機器。
【請求項２】
前記収容室には、前記開口が設けられている側から当該収容室の底部側に向かって延びる側壁が設けられ、
前記収容室の前記側壁から当該収容室の内部方向に向かって突出した突出部を更に備え、
前記ヒンジの前記第１の固定片は、前記突出部に固定されていることを特徴とする請求項１に記載の医療用機器。
【請求項３】
前記突出部に接続して設けられるとともに当該突出部の突出方向と交差する方向に向かって且つ前記開口が設けられている側に向かって延びるように配置され、当該突出部と前記第１の固定片とを接続する接続部を更に備え、
前記ヒンジは、複数設けられ、
前記接続部は、複数設けられた前記ヒンジに対応するように複数設けられ、
複数設けられた前記接続部のうちの互いに隣接する接続部間には間隙が形成されていることを特徴とする請求項２に記載の医療用機器。
【請求項４】
前記医療用機器には、前記収容室に形成された前記開口を取り囲む開口縁が形成され、
前記塞ぎ部材は、前記内側面とは反対側に外側面を有し、
前記塞ぎ部材の開動作が行われる際、当該塞ぎ部材は、前記ヒンジの前記軸を中心に回転を行い、
前記ヒンジは、９０°を超える前記塞ぎ部材の前記回転が可能なように構成され、
９０°を超えて回転した前記塞ぎ部材が予め定められた箇所に達すると、当該塞ぎ部材の当該回転が規制され、前記開口縁への前記外側面の接触が防止されることを特徴とする請求項１に記載の医療用機器。
【発明の詳細な説明】
【技術分野】
【０００１】
本発明は、医療用機器に関する。
【背景技術】
【０００２】
特許文献１には、医療用機器として機能するネブライザキャビネットが開示されている。このネブライザキャビネットでは、キャビネット本体内部に薬液収容部を設けた噴霧装置を内蔵し、加圧空気を噴霧装置内に導入し、薬液収容部内の薬液と混合して噴霧状態にして噴霧する。
【先行技術文献】
【特許文献】
【０００３】
【特許文献１】特開２００９−１１６６９号公報
【発明の概要】
【発明が解決しようとする課題】
【０００４】
医療用機器においては、例えば、部材が収容される収容室が設けられるとともに、部材の交換等のため、収容室に開口が形成され、さらに、開閉可能な塞ぎ部材でこの開口が塞がれる。
ここで、塞ぎ部材の開閉はヒンジにより実現できるが、ヒンジの取り付け方によっては、医療用機器の表面から突出するようにヒンジが設けられたり、塞ぎ部材と医療用機器の本体部との間に形成される隙間が拡がったりする。そして、このようにヒンジが突出したり、隙間が大きくなったりすると、医療用機器の見栄えが悪くなるおそれがある。
本発明の目的は、塞ぎ部材を開閉可能に支持するヒンジに起因する医療用機器の見栄えの悪化を生じにくくすることにある。
【課題を解決するための手段】
【０００５】
かかる目的のもと、本発明が適用される医療用機器は、拡がりを有して形成された開口を備え、当該開口が拡がる方向と直交する方向に深さを有して形成され、部材が収容される収容室と、前記収容室の前記開口を塞ぐとともに、当該収容室側に面する内側面を有した塞ぎ部材と、前記収容室内に固定される第１の固定片と、前記塞ぎ部材の前記内側面に固定される第２の固定片と、当該第１の固定片と当該第２の固定片とを接続する軸と、を備え、当該塞ぎ部材の開閉を可能にするヒンジと、を備え、前記収容室の深さ方向に向けて前記塞ぎ部材および前記ヒンジを投影した場合に、当該塞ぎ部材の外周縁よりも内側に、当該ヒンジの前記第１の固定片が位置するように構成された医療用機器である。
ここで、前記収容室には、前記開口が設けられている側から当該収容室の底部側に向かって延びる側壁が設けられ、前記収容室の前記側壁から当該収容室の内部方向に向かって突出した突出部を更に備え、前記ヒンジの前記第１の固定片は、前記突出部に固定されていることを特徴とすることができる。この場合、収容室の底部への第１の固定片の固定を避けられるようになり、収容室の底部に、部材の取り付けが可能になる領域を増やせるようになる。
また、前記突出部に接続して設けられるとともに当該突出部の突出方向と交差する方向に向かって且つ前記開口が設けられている側に向かって延びるように配置され、当該突出部と前記第１の固定片とを接続する接続部を更に備え、前記ヒンジは、複数設けられ、前記接続部は、複数設けられた前記ヒンジに対応するように複数設けられ、複数設けられた前記接続部のうちの互いに隣接する接続部間には間隙が形成されていることを特徴とすることができる。この場合、突出部上の物を除去しやすくなる。
また、前記医療用機器には、前記収容室に形成された前記開口を取り囲む開口縁が形成され、前記塞ぎ部材は、前記内側面とは反対側に外側面を有し、前記塞ぎ部材の開動作が行われる際、当該塞ぎ部材は、前記ヒンジの前記軸を中心に回転を行い、前記ヒンジは、９０°を超える前記塞ぎ部材の前記回転が可能なように構成され、９０°を超えて回転した前記塞ぎ部材が予め定められた箇所に達すると、当該塞ぎ部材の当該回転が規制され、前記開口縁への前記外側面の接触が防止されることを特徴とすることができる。この場合、塞ぎ部材の外側面が開口縁に接触することが避けられ、塞ぎ部材の外側面にキズなどが生じることを抑制できる。
【発明の効果】
【０００６】
本発明によれば、塞ぎ部材を開閉可能に支持するヒンジに起因する医療用機器の見栄えの悪化を生じにくくすることが可能になる。
【図面の簡単な説明】
【０００７】
【図１】耳鼻咽喉科で用いられる噴霧装置（ネブライザー）の斜視図である。
【図２】薬液台上に置かれる薬液霧発生装置を示した図である。
【図３】ＵＩを説明するための図である。
【図４】噴霧装置の上面に設けられた収容室を上方から眺めた場合の図である。
【図５】メンテナンス用扉の内部の状態を示した図である。
【図６】図５におけるＶＩ−ＶＩ線における噴霧装置の断面図である。
【図７】図１にて符号１Ａで示す部分を矢印１Ｃで示す方向から眺めた場合の図である。
【図８】収容室、および、収容室の開口を塞ぐ蓋部材を説明するための図である。
【図９】蓋部材を持ち上げた後の状態を示した図である。
【図１０】図９の矢印Ｘ方向から箱状部材等を眺めた場合の図である。
【図１１】蓋部材が開かれた状態における収容室の一部を拡大して表示した図である。
【発明を実施するための形態】
【０００８】
以下、添付図面を参照して、本発明の実施の形態について詳細に説明する。
図１は、耳鼻咽喉科で用いられる噴霧装置（ネブライザー）１の斜視図である。
医療用機器の一例としてのこの噴霧装置１は、箱状に形成されており、上面１１、底面１２、左側面１３、右側面１４、前面１５、背面１６を備えている。
また、噴霧装置１には、薬液が置かれる薬液台２１が設けられている。この薬液台２１は、噴霧装置１の幅方向に沿って配置され、また、噴霧装置１の前面１５に取り付けられている。また、薬液台２１の最上部には、ガラス製の天板２１Ａが設けられている。これにより、薬液台２１の清掃を行いやすくなっている。
【０００９】
噴霧装置１の幅方向における一端および他端には、噴霧装置１を支持する支持脚２２が設けられている。噴霧装置１の右側面１４には、電源コードの取り出しに用いられるコード取り出し口２３が設けられている。なお、図示は省略するが、このコード取り出し口２３は、左側面１３にも設けられており、本実施形態では、左側面１３および右側面１４の何れか一方から、電源コードを取り出せるようになっている。
また、本実施形態では、「開始します」、「終了します」などの音声ガイダンスを行うためのスピーカー（不図示）が設けられている。
【００１０】
なお、本実施形態の噴霧装置１では、同時に、３人の患者に対する薬液の提供（噴霧）を行えるようになっており、薬液の噴霧のためのユニット（以下、「噴霧用ユニット」と称する）が３人分（３組）用意されている。具体的には、本実施形態の噴霧装置１では、噴霧用ユニット１０Ａ〜１０Ｃが設けられている。なお、薬液台２１については共用される形となっており、薬液台２１は、３つの噴霧用ユニット１０Ａ〜１０Ｃを横断する形で設けられている。
【００１１】
噴霧用ユニット１０Ａ〜１０Ｃについて詳細に説明する。なお、噴霧用ユニット１０Ａ〜１０Ｃの各々は同様に構成されており、ここでは、噴霧用ユニット１０Ｂについて説明する。
噴霧用ユニット１０Ｂの上部（上面１１が位置する箇所）には、エアフィルターなどが収容される収容室と、この収容室の上部に形成された矩形状の開口を塞ぐ塞ぎ部材として機能する蓋部材２９とが設けられている。また、噴霧用ユニット１０Ｂの前面（前面１５が位置する箇所）には、ユーザ（患者や看護師）による操作を受け付けるとともにユーザに対する情報の表示を行うＵＩ（User Interface）２４が設けられている。
【００１２】
ＵＩ２４の下方には、空気が排出される空気排出部２５が設けられている。この空気排出部２５は、前面１５から突出するように設けられている。さらに、薬液台２１の下方には、メンテナンスなどの際に取り外されるメンテナンス用扉２６が設けられている。このメンテナンス用扉２６の内側には、電源ヒューズや、コンプレッサーやエアポンプなどの空気供給源が設けられている。また、メンテナンス用扉２６には、噴霧装置１の本体部に対するメンテナンス用扉２６の固定に用いられるロック機構２６２が設けられている。
【００１３】
図２は、薬液台２１上に置かれる薬液霧発生装置を示した図である。
図１では、図示を省略したが、薬液台２１上には、図２にて示す薬液霧発生装置２００が置かれる。この薬液霧発生装置２００は、一端が空気排出部２５に接続されるチューブ２１０と、チューブ２１０からの空気が供給される薬液収容部２２０とから構成されている。
【００１４】
薬液霧発生装置２００では、薬液収容部２２０において、チューブ２１０によって供給されてきた空気が薬液と混合し、薬液が霧状になる。そして、霧状となったこの薬液が、薬液収容部２２０の上部に設けられた２つの排出口２２１から排出される。
なお、図２では、上部の部分が患者の鼻腔に挿入される薬液収容部２２０を一例に説明したが、患者に接する部分がマスク状に形成される薬液収容部２２０も存在する。また、図２では、患者に接する部分と薬液が収容される部分とが一体となった薬液収容部２２０を説明したが、患者に接する部分と薬液が収容される部分とを別体で構成するようにしてもよい。
【００１５】
図３は、ＵＩ２４を説明するための図である。
同図（Ａ）に示すように、ＵＩ２４には、薬液の噴霧の開始や停止がなされる際にユーザにより押圧されるスタート／ストップボタン２４１が設けられている。さらに、中断した噴霧を最初から再び行う際などにユーザにより押圧されるリセットボタン２４２が設けられている。
【００１６】
また、ＵＩ２４には、ＬＥＤなどの点光源２４３Ａが複数設置された点光源群２４３が設けられている。点光源群２４３に含まれる個々の点光源２４３Ａは、噴霧装置１（図１参照）の幅方向に並んでいる
ここで、本実施形態では、薬液の噴霧が開始される際、全ての点光源２４３Ａが点灯される。そして、薬液の噴霧が開始されると、一定の時間が経過する度に、点灯状態にある点光源２４３Ａのうちの右端に位置する点光源２４３Ａが消灯する。付言すると、本実施形態では、時間の経過とともに、点光源群２４３の右端から左端に向かって、点光源２４３Ａが順次消灯するようになっている。
【００１７】
そして、薬液の噴霧が開始されてから、３分など予め定められた時間が経過すると、全ての点光源２４３Ａが消灯する。また、点光源群２４３の図中左側には、終了ランプ２４４が設けられており、上記予め定められた時間が経過すると、この終了ランプ２４４も点灯する。さらに、上記予め定められた時間が経過すると、ブザーが鳴り、また、「終了します」などの音声ガイドがなされる。
【００１８】
さらに、ＵＩ２４では、点光源群２４３よりも図中右側に、エアフィルター（後述）の状態を示すフィルター用ランプ２４５が設けられている。ここで、本実施形態では、エアフィルターの使用時間が予め定められた一定の時間内にある場合は、フィルター用ランプ２４５が青色で点灯し、エアフィルターの使用時間がこの一定の時間を超えると、フィルター用ランプ２４５がオレンジ色で点灯する。これにより、ユーザは、エアフィルターの状態（交換時期に達したか否か）を知ることができるようになる。
【００１９】
なお、本実施形態では、上記のとおり、点灯した点光源２４３Ａが右端から順に消灯していく場合を一例に説明したが、他の態様の表示を行うこともできる。例えば、複数の絵が並べられて表示されているとともに、この絵が端から順に点灯する表示を行うことができる。この場合、例えば、動物の動作についての表示を行うことができるようになる。具体的には、例えば、動物が歩く際の動作や、鳥類が羽ばたく際の動作などを表示できるようになる。また、上記では、点光源２４３Ａによる点灯表示が円形であったが、矢印などのマークが順次点灯するようにしてもよい。
【００２０】
なお、図３（Ａ）では、いわゆるジェット式のときに用いられるＵＩ２４を示しており、複数種の薬液が用意される薬液式では、図３（Ｂ）に示すように、点光源群２４３の下方に、薬液の選択がなされる際にユーザにより押圧される選択用ボタン２４６が複数設けられる。
薬液式では、霧状の薬液を生成する薬液霧発生装置が薬液の種類分だけ設けられ、複数の薬液霧発生装置が設けられる。また、薬液式では、複数設けられた薬液霧発生装置の何れか一つに空気が供給されるように空気の供給先を切り替える切り替え機構が設けられている。なお、この切り替え機構は、ユーザにより押圧された選択用ボタン２４６に応じて空気の供給先を決定する。
【００２１】
なお、薬液式では、まず、メンテナンス用扉２６の内側に設けられた空気供給源からエアフィルター（後述）へ空気が供給される。次いで、エアフィルターを通過した後の空気が、薬液台２１内に収められた薬液霧発生装置（不図示）に供給される。そして、この薬液霧発生装置において、空気が薬液と混合し、薬液が霧状になる。そして、霧状となったこの薬液は、不図示のチューブによって、例えば空気排出部２５（図１参照）の左横且つＵＩ２４の下方に設けられた排出口（不図示）へ供給される。そして、この薬液は、この排出口を通じ、噴霧装置１の外部に排出される。その後、この薬液は、排出口に接続された不図示のチューブを介し、患者の鼻腔等に供給される。なお、上記排出口は、薬液の種類に応じて複数設けられる。例えば、薬液の種類が３種類ある場合、３個以上の排出口が設けられる。
【００２２】
図４は、噴霧装置１の上面１１（図１参照）に設けられた収容室を上方から眺めた場合の図である。付言すると、図４では、蓋部材２９（図１参照）を取り除いた状態の噴霧装置１を図示している。
収容室５１には、エアフィルター５２が収容されている。このエアフィルター５２は、コンプレッサーなどの空気供給源（図４では不図示）と空気排出部２５とを結ぶ空気流通路上に配置され、空気排出部２５から排出される空気に異物が混入することを防ぐ。
【００２３】
収容室５１には、エアフィルター５２の他に、エアフィルター５２が新たなものに交換された際にユーザにより押圧されるリセットボタン５３が設けられている。本実施形態では、エアフィルター５２の使用時間に基づきエアフィルター５２の寿命を判断しており、このリセットボタン５３が押圧されると、使用時間がゼロに設定される。また、フィルター用ランプ２４５がオレンジ色で点灯している状態にて、リセットボタン５３が押圧されると、フィルター用ランプ２４５が青色で点灯するようになる。
【００２４】
さらに、収容室５１には、ブザーの音量や音声案内の音量の調整に用いられる音量調節用のダイヤル（不図示）と、このダイヤルの取り付けに用いられる取り付け用穴５４が設けられている。また、薬液の噴出時間の変更に用いられる時間変更用ダイヤル（不図示）、この時間変更用ダイヤルの取り付けに用いられる取り付け用穴５５が設けられている。さらに、空気排出部２５から排出される空気の圧力調整に用いられるエアーレギュレータ５６、空気排出部２５から排出される空気の圧力を表示する圧力計５７が設けられている。
【００２５】
なお、収容室５１内に設けられたエアフィルター５２等の各種部材は、メンテナンス用扉２６（図１参照）内に設けてもよいが、収容室５１内に設けた方が、ユーザの作業性が良好となる。エアフィルター５２等がメンテナンス用扉２６内にある場合、ユーザは、薬液台２１の下方にもぐり込む必要があるが、エアフィルター５２等が収容室５１内にある場合、ユーザは、立ったままの状態で作業を行うことができるようになる。
【００２６】
なお、本実施形態では、蓋部材２９（図４では不図示）が閉じられた際、蓋部材２９は、収容室５１の上部に形成された矩形状の開口６７を取り囲む開口縁６８の内側に配置される。また、一部のみ図示を行うが、本実施形態では、収容室５１の側壁（内壁）から突出する突出片６９が設けられており、蓋部材２９が閉じられると、この突出片６９の上に蓋部材２９が載るようになる。これにより、収容室５１内への蓋部材２９の落ち込みが防止される。
【００２７】
図５は、メンテナンス用扉２６（図１参照）の内部の状態を示した図である。
メンテナンス用扉２６の内部には、コンプレッサーやエアポンプなどにより構成される空気供給源、空気供給源の振動を吸収する振動吸収機構、および、空気供給源にて発生した音の吸収を行う吸音箱６４が設けられている。ここで、本実施形態では、空気供給源は、噴霧装置１の下部に設けられており、下部に設けられたこの空気供給源から、上部に位置する空気排出部２５（図１参照）へ空気が供給される。なお、この際、この空気は、上記エアフィルター５２を通過する。
【００２８】
図６は、図５におけるＶＩ−ＶＩ線における噴霧装置１の断面図である。付言すると、噴霧装置１の上下方向に沿い且つ噴霧装置１に奥行き方向に沿った面における断面図である。
上記のとおり、また、図６に示すように、本実施形態では、空気供給源６２、空気供給源６２にて発生した振動を吸収する振動吸収機構６３、および、空気供給源６２にて発生した音の吸収を行う吸音箱６４が設けられている。
【００２９】
吸音箱６４は、前側壁６４１、後側壁６４２、左側壁６４３、右側壁（不図示）、底板６４４、第１上板６４５、および、第２上板６４６を備えている。本実施形態では、これらの壁部によって、空気供給源６２が覆われ、外部への音の漏れ出しが抑えられている。なお、第１上板６４５と第２上板６４６との間には間隙が形成されており、この間隙を通じ、空気供給源６２にて発生した熱が、吸音箱６４の外へ排出されるようになっている。
【００３０】
図７は、図１にて符号１Ａで示す部分を矢印１Ｃで示す方向（左側面１３が設けられている側）から眺めた場合の図である。付言すると、メンテナンス用扉２６の最下部と噴霧装置１の本体部との接合部を拡大して示した図である。
本実施形態では、図７に示すように、噴霧装置１の本体部側に、円形の貫通孔１Ｄが形成されている。一方で、メンテナンス用扉２６側には、上記貫通孔１Ｄに先端部が入り込みメンテナンス用扉２６の位置決めを行う位置決め部材２６１が設けられている。
【００３１】
ここで、本実施形態では、噴霧装置１の本体部に対してメンテナンス用扉２６が取り付けられる際、貫通孔１Ｄに対して位置決め部材２６１の先端部が入れられる。これにより、メンテナンス用扉２６の下部側が予め定められた箇所に配置されるようになり、メンテナンス用扉２６の上部側の、噴霧装置１の本体部に対する取り付けを行いやすくなる。なお、本実施形態では、位置決め部材２６１のうち、貫通孔１Ｄに入り込む部分を半球状に形成している。また、本実施形態では、ボルトなどの既存の締結部材で位置決め部材２６１を構成している。
【００３２】
なお、位置決め部材２６１および貫通孔１Ｄは、図１の符号１Ｂに示す箇所にも配置されており、メンテナンス用扉２６の幅方向における２箇所にて、噴霧装置１の本体部に対するメンテナンス用扉２６の位置決めが行われる。また、上記では、噴霧用ユニット１０Ａにおけるメンテナンス用扉２６等の構成を説明したが、噴霧用ユニット１０Ｂ，１０Ｃにおけるメンテナンス用扉２６等も、噴霧用ユニット１０Ａにおけるメンテナンス用扉２６等と同様に構成されている。
【００３３】
図８は、収容室５１、および、収容室５１の開口を塞ぐ蓋部材２９を説明するための図である。なお、本実施形態では、噴霧装置１の本体部の上部に対し、図８に示す箱状部材４０を取り付けた構成となっている。そして、本実施形態では、この箱状部材４０の内部が、収容室５１（図４参照）として機能するようになっている。さらに、本実施形態では、この箱状部材４０の上部に、蓋部材２９が取り付けられた構成となっている。
【００３４】
箱状部材４０は、上板４３を備えている。また、箱状部材４０は、底部として機能する下板４４を備えている。さらに、箱状部材４０には、上板４３が設けられている側から下板４４が設けられている側に向かって延びる前側壁４１、後側壁４２が設けられている。付言すると、箱状部材４０には、開口６７（図４参照）が設けられている側から収容室５１の底部が設けられている側に向かって延びる前側壁４１、後側壁４２が設けられている。
【００３５】
また、箱状部材４０の内部には、後側壁４２に接続され収容室５１の内部方向に向かって突出した突出部の一例としての突出片４５が設けられている。付言すると、箱状部材４０の内部には、後側壁４２に一端が取り付けられ前側壁４１に向かって突出する突出片４５が設けられている。
【００３６】
ここで、本実施形態では、図８に示すように、蓋部材２９は、板状且つ矩形状に形成されている。さらに、本実施形態では、蓋部材２９に、箱状部材４０への蓋部材２９の固定に用いられるロック機構３０が設けられている。ここで、このロック機構３０には可動片３１が設けられており、この可動片３１を図中上方に持ち上げると、ロック機構３０によるロックが解除されるようになっている。
【００３７】
図９は、蓋部材２９を持ち上げた後の状態（蓋部材２９を開いた後の状態）を示した図である。
同図に示すように、蓋部材２９を持ち上げると、収容室５１が現れるようになり、これにより、収容室５１内へのアクセスが可能になる。ここで、本実施形態では、蓋部材２９を上方に持ち上げると、蓋部材２９は、蓋部材２９の奥側に取り付けられたヒンジ（蝶番）３２を中心に回転し、蓋部材２９の手前側が上方に向かって移動する。なお、本実施形態では、ヒンジ３２は二つ設けられている。
【００３８】
また、上記では説明を省略したが、本実施形態では、図９に示すように、ヒンジ３２を介して蓋部材２９の支持を行う支持板金３３が設けられている。
支持板金３３には、長方形状に形成され且つ蓋部材２９の長手方向に沿って配置された板金本体３３Ａが設けられている。この板金本体３３Ａは、突出片４５の上面に取り付けられている。
【００３９】
また、支持板金３３には、上方に向かって突出した第１突出片３３Ｂ、第２突出片３３Ｃが設けられている。第１突出片３３Ｂは、板金本体３３Ａの長手方向における一方の端部により支持され、第２突出片３３Ｃは、板金本体３３Ａの長手方向における他方の端部により支持されている。なお、本実施形態では、図９に示すように、第１突出片３３Ｂと第２突出片３３Ｃとの間、且つ、蓋部材２９の図中下縁部（外周縁）と板金本体３３Ａとの間に、間隙３３Ｄが形成されている。
【００４０】
ヒンジ３２について説明すると、ヒンジ３２には、収容室５１内に固定される第１の固定片として機能する第１金属板３２Ｂが設けられている。なお、本実施形態では、この第１金属板３２Ｂは、２つ設けられたヒンジ３２に対応して２つ設けられている。そして、本実施形態では、一方の第１金属板３２Ｂが第１突出片３３Ｂに固定され、他方の第１金属板３２Ｂが第２突出片３３Ｃに固定されている。
また、ヒンジ３２には、蓋部材２９に固定される第２の固定片として機能する第２金属板３２Ｃが設けられている。この第２金属板３２Ｃは、回転軸３２Ａを介し第１金属板３２Ｂに接続されている。なお、第１金属板３２Ｂと同様、第２金属板３２Ｃおよび回転軸３２Ａも二つ設けられている。
【００４１】
なお、上記では説明を省略したが、本実施形態の蓋部材２９は、図９に示すように、蓋部材２９が閉じられている際に収容室５１側に面する内側面２９Ａと、内側面２９Ａとは反対側に位置する外側面２９Ｂとを備えている。そして、本実施形態では、この内側面２９Ａに対し、ヒンジ３２に設けられた第２金属板３２Ｃが固定されている。
ここで、本実施形態では、回転軸３２Ａを中心に第２金属板３２Ｃが回転する。これにより、蓋部材２９も回転軸３２Ａを中心に回転するようになる。
【００４２】
図１０は、図９の矢印Ｘ方向から箱状部材４０等を眺めた場合の図である。
図１０を参照し、収容室５１の内部構造を説明すると、収容室５１内には、収容室５１の下板４４から上方に向かう第１弾性片５８および第２弾性片５９が設けられている。本実施形態では、この第１弾性片５８と第２弾性片５９との間にエアフィルター５２が設置されている。なお、エアフィルター５２の交換時は、図中上方にエアフィルター５２を移動させるだけで、エアフィルター５２を取り外せる。
【００４３】
ロック機構３０には、箱状のロック機構本体３０Ａから突出した突出片３０Ｂが設けられている。ここで、本実施形態では、可動片３１（図８参照）に対する操作を行わずに蓋部材２９を持ち上げると、突出片３０Ｂが上板４３に突き当たる。そして、この場合は、蓋部材２９の開放が規制されるようになる。一方で、可動片３１を操作したうえで蓋部材２９を持ち上げると、ロック機構本体３０Ａ側に突出片３０Ｂが移動した状態で蓋部材２９が持ち上げられる形となり、蓋部材２９を開くことができる。
【００４４】
図１１は、蓋部材２９が開かれた状態における収容室５１の一部を拡大して表示した図である。
本実施形態では、蓋部材２９が予め定められた角度、開かれると、図１１に示すように、蓋部材２９の外周縁２９１が、第２突出片３３Ｃの一方の面に接触する（第１突出片３３Ｂ（図９参照）側も同様）。なお、本実施形態では、蓋部材２９が９０°を超えて回転できるように構成されており、本実施形態では、蓋部材２９が９０°を超えて回転すると、蓋部材２９の外周縁２９１が、第２突出片３３Ｃの一方の面に接触する。これにより、蓋部材２９の回転が規制される。
【００４５】
ここで、図１１に示す状態では（蓋部材２９が完全に開放された状態では）、ヒンジ３２に設けられた回転軸３２Ａよりも噴霧装置１の奥行き方向における奥側に、蓋部材２９の重心が位置するようになっており、ユーザが蓋部材２９から手を離しても、蓋部材２９は動かず、蓋部材２９が閉じることが防止される。付言すると、本実施形態では、蓋部材２９が９０°を超えて回転できるように構成されているために、蓋部材２９が最大限開かれると、回転軸３２Ａよりも噴霧装置１の奥行き方向における奥側に、蓋部材２９の重心が位置する。これにより、ユーザが蓋部材２９から手を離しても、蓋部材２９が開かれた状態が維持される。
【００４６】
なお、本実施形態のように、蓋部材２９が９０°を超えて回転できるように構成されている場合、図１１に示すように、蓋部材２９の外側面２９Ｂが、開口縁６８に接近しこの開口縁６８に接触しようとするが、本実施形態では、外側面２９Ｂが開口縁６８に接触しようとする前に、蓋部材２９が第２突出片３３Ｃに接触する。これにより、開口縁６８への外側面２９Ｂの接触が防止され、外側面２９Ｂにキズなどが生じることが防止される。
【００４７】
さらに、本実施形態では、上記にて説明したとおり、また、図９（図１１も参照）にて説明したように、第１突出片３３Ｂと第２突出片３３Ｃとの間、且つ、蓋部材２９の外周縁２９１と板金本体３３Ａとの間に、間隙３３Ｄが形成される。これにより、本実施形態では、図１１にて符号１１Ａで示す空間に入ってしまった物を取りやすくなる。
【００４８】
ここで、本実施形態では、図１１に示すように、第１突出片３３Ｂ（図１１では不図示）および第２突出片３３Ｃが、突出片４５に接続して設けられるとともに、突出片４５の突出方向（図１１にて、左方向）と交差する方向（図１１にて、上方）に向かって延びるように配置されている。さらに説明すると、第１突出片３３Ｂおよび第２突出片３３Ｃは、突出片４５の突出方向と交差する方向に向かって延びるように配置されるとともに、突出片４５よりも上方に位置する開口６７（図１０参照）に向かって延びるように配置されている。そして、本実施形態では、このように設けられた第１突出片３３Ｂと第２突出片３３Ｃとの間に間隙３３Ｄが形成されている。
【００４９】
さらに説明すると、本実施形態では、接続部の一例としての第１突出片３３Ｂによって、二つのヒンジ３２のうちの一方のヒンジ３２と突出片４５とが接続され、また、接続部の他の一例としての第２突出片３３Ｃによって、他方のヒンジ３２と突出片４５とが接続されている。そして本実施形態では、接続部として機能しているこの２つの突出片間（第１突出片３３Ｂと第２突出片３３Ｃとの間）に、間隙３３Ｄが設けられている。
【００５０】
ここで、本実施形態の構成では、蓋部材２９と開口縁６８との間に形成される間隙Ｇ（図１１参照）を通じ、収容室５１の内部に物が入り込むと、この物は、符号１１Ａで示す空間内に収容されるようになる。具体的には、突出片４５、後側壁４２、上板４３、蓋部材２９、および、支持板金３３により囲まれた空間内に収容されるようになる。
本実施形態のように間隙３３Ｄが形成されていると、この間隙３３Ｄを通じ、上記空間内に入り込んだ物を取れるようになる。ここで、第１突出片３３Ｂ、第２突出片３３Ｃのような突出片が、支持板金３３の長手方向の全域に設けられている場合（間隙３３Ｄが設けられていない場合）、上記空間内の物を取り出しにくくなってしまう。
【００５１】
また、上記では説明を省略したが、本実施形態では、収容室５１の内部にヒンジ３２が収められており、ヒンジ３２が外部に露出することによる見栄えの悪化（外観の低下）が抑制されている。
一般的には、ヒンジ３２は、蓋部材２９と箱状部材４０とを跨ぐ形で取り付けられ、また、箱状部材４０の外部にて、蓋部材２９および箱状部材４０に対して取り付けられる。ところで、この場合、平坦に形成された上面１１（図１参照）からヒンジ３２が突出するようになり、噴霧装置１の外観が損なわれるおそれがある。本実施形態の構成では、箱状部材４０の内部にヒンジ３２が配置される形となり、ヒンジ３２が突出することによる見栄えの悪化が抑制される。
【００５２】
また、本実施形態では、蓋部材２９と箱状部材４０の上板４３（図８参照）とを跨がないようにヒンジ３２が設けられることでも、見栄えの悪化が抑制されている。付言すると、本実施形態では、図１０に示すように、蓋部材２９の外周縁２９１よりも内側に、ヒンジ３２の第１金属板３２Ｂが配置されており、且つ、外周縁２９１よりも内側にて、第１金属板３２Ｂが箱状部材４０に対して固定されている。これにより、ヒンジ３２が、蓋部材２９と箱状部材４０の上板４３とを跨がないようになり、見栄えの悪化が抑制される。
【００５３】
さらに説明すると、本実施形態では、収容室５１の深さ方向（開口６７の幅方向と直交する方向、図１０における下方向）に向けて且つこの深さ方向と直交する仮想面に対して、蓋部材２９およびヒンジ３２を投影した場合に、蓋部材２９の外周縁２９１よりも内側に、第１金属板３２Ｂが位置するようになっている。付言すると、図１０において、開口６７は左右方向に拡がりを有して形成されているが、この開口６７が拡がる方向と直交する方向である収容室５１の深さ方向（図中、下方向）に向けて、蓋部材２９およびヒンジ３２を投影した場合に、蓋部材２９の外周縁２９１よりも内側に、第１金属板３２Ｂが位置している。
【００５４】
ここで、蓋部材２９と上板４３とを跨ぐようにヒンジ３２が設けられる場合、ヒンジ３２の回転軸３２Ａの部分が、蓋部材２９と上板４３との間に形成される間隙Ｇ（図１１参照）の部分に配置されることが多くなる。ところで、この場合、この間隙Ｇが拡がることが多くなり、間隙Ｇの拡大に伴い、見栄えの悪化が懸念される。一方で、本実施形態の構成では、蓋部材２９と上板４３とを跨がないようにヒンジ３２が設けられる形となり、これにより、間隙Ｇの拡大化を防ぐことができる。
【００５５】
また、本実施形態では、図１０等にて示したとおり、ヒンジ３２の第１金属板３２Ｂを、収容室５１の底部ではなく突出片４５に対して固定している。付言すると、本実施形態では、突出片４５は、収容室５１の底部から浮いた状態で配置されており、これにより、底部よりも上方にて、第１金属板３２Ｂが収容室５１に対して固定されている。これにより、本実施形態では、収容室５１の底部に（下板４４上に）、部材の取り付けが可能になる領域を増やせるようになる。
【００５６】
ここで、収容室５１の底部に対して第１金属板３２Ｂを固定する場合、この固定のための領域を底部に確保する必要が生じ、これに伴い、底部のスペース（部材取り付けのためのスペース）が減るようになる。より具体的に説明すると、第１金属板３２Ｂを底部に固定する場合、例えば、図１０の符号１０Ｄで示す領域が、固定のためのスペースとして用いられてしまい、部材設置のためのスペースが減る。一方で、本実施形態のように、突出片４５に対して第１金属板３２Ｂを固定すると、収容室５１の底部に、部材設置のためのスペースを生み出せるようになる。
【００５７】
また、本実施形態では、図１０に示すように、ヒンジ３２の第１金属板３２Ｂを収容室５１の深さ方向（図１０にて上下方向）に沿うように配置している。ここで、例えば、図１０の符号１０Ｆに示すように、深さ方向に対して傾斜するように第１金属板３２Ｂを配置した場合、部材の設置時等に、部材やユーザの手と第１金属板３２Ｂとの干渉が起こりやすくなる。また、収容室５１の底部に操作ダイヤルなどの操作対象がある場合には操作対象に対する操作を行いにくくなる。一方で、本実施形態のように、第１金属板３２Ｂを収容室５１の深さ方向に沿うよう配置した場合、第１金属板３２Ｂが傾斜している場合に比べ、部材の設置や操作対象への操作を行いやすくなる。
【００５８】
なお、上記にて説明したとおり、本実施形態では、蓋部材２９が９０°を超えて回転できるように構成されているが、この９０°を超えた蓋部材２９の回転は、図１１に示すように、ヒンジ３２の回転軸３２Ａが開口縁６８の内側に配置されることによって実現されている。
【００５９】
付言すると、本実施形態では、収容室５１の深さ方向に、開口縁６８および回転軸３２Ａを投影した場合に、開口縁６８よりも内側に回転軸３２Ａが位置するようになり、これにより、９０°を超える蓋部材２９の回転が実現されている。ここで、例えば、開口縁６８の真下（図１１の符号１１Ｃで示す箇所）に回転軸３２Ａが設けられる場合、蓋部材２９の回転角度が９０°に達すると蓋部材２９と開口縁６８とが接触し、９０°を超える蓋部材２９の回転は難しくなる。
【００６０】
なお、上記では、耳鼻咽喉科で用いられる噴霧装置１に設けられた収容室等の構成を説明した。ところで、上記にて説明した構成は、歯科などの他の診療科で用いられる医療用機器においても用いることができる。
また、上記では、噴霧装置１の上面に形成された開口を蓋部材２９で塞ぐ構成を説明したが、側面などに形成される開口を塞ぐ際にも上記と同様の構成を用いることができる。
【符号の説明】
【００６１】
１…噴霧装置、２９…蓋部材、２９Ａ…内側面、２９Ｂ…外側面、３２…ヒンジ、３２Ａ…回転軸、３２Ｂ…第１金属板、３２Ｃ…第２金属板、３３Ｂ…第１突出片、３３Ｃ…第２突出片、３３Ｄ…間隙、４２…後側壁、４５…突出片、５１…収容室、６７…開口、６８…開口縁、２９１…外周縁
【図１】
2014221173.tif 000003
【図２】
2014221173.tif 000004
【図３】
2014221173.tif 000005
【図４】
2014221173.tif 000006
【図５】
2014221173.tif 000007
【図６】
2014221173.tif 000008
【図７】
2014221173.tif 000009
【図８】
2014221173.tif 000010
【図９】
2014221173.tif 000011
【図１０】
2014221173.tif 000012
【図１１】
2014221173.tif 000013